(57)【特許請求の範囲】
【請求項１】
原稿を搬送する原稿搬送手段と、
前記原稿搬送手段によって搬送される原稿の第１面を読み取る第１読取手段と、
前記原稿搬送手段によって搬送される原稿の第２面を読み取る第２読取手段と、
前記原稿の第１面のみを読み取る片面読取モード、または、前記原稿の第１面及び第２面を読み取る両面読取モードを設定する設定手段と、
前記設定手段によって前記両面読取モードが設定されたことに従って、前記第２読取手段の調整動作を開始する制御手段と、を有し、
前記制御手段は、前記設定手段によって前記両面読取モードが設定された後、前記調整動作中に前記片面読取モードが設定されても、前記調整動作を継続することを特徴とする画像読取装置。
【請求項２】
前記調整動作は、前記第２読取手段の調整動作のための基準白板を面上に配置した移動基板の移動を含むことを特徴とする請求項１に記載の画像読取装置。
【請求項３】
原稿を搬送する原稿搬送手段と、
前記原稿搬送手段によって搬送される原稿の第１面を読み取る第１読取手段と、
前記原稿搬送手段によって搬送される原稿の第２面を読み取る第２読取手段と、
前記原稿の第１面のみを読み取る片面読取モード、または、前記原稿の第１面及び第２面を読み取る両面読取モードを設定する設定手段と、
前記第２読取手段の調整動作に用いる基準白板を面上に配置した移動基板と、
前記移動基板を移動させる移動手段と、
前記設定手段によって前記両面読取モードが設定されたことに従って、前記原稿の読取開始指示より前に前記移動手段によって前記移動基板の移動を開始させ、前記第２読取手段の調整動作を開始する制御手段と、を有し、
前記制御手段は、前記調整動作中に前記片面読取モードが設定されても、前記調整動作を継続することを特徴とする画像読取装置。
【請求項４】
前記第２読取手段の調整動作は、前記基準白板が前記第２読取手段に対する第１の所定位置になるように、前記移動手段によって前記移動基板を移動して開始することを特徴とする請求項３に記載の画像読取装置。
【請求項５】
前記設定手段によって前記両面読取モードが設定された場合には、前記移動基板を前記第１の所定位置に移動して、前記第２読取手段の前記調整動作を開始し、前記第２読取手段の前記調整動作が終了した後に、前記移動基板を前記第２読取手段に対する第２の所定位置に移動させることを特徴とする請求項４に記載の画像読取装置。
【請求項６】
前記第２読取手段の調整動作を開始したのち、所定時間以上の間、原稿読取開始の指示の入力操作がなされなかった場合は、前記調整動作により生成した調整値を読み取り時に利用しないことを特徴とする請求項１乃至５のいずれか１項に記載の画像読取装置。
【請求項７】
前記原稿搬送手段による原稿の搬送時は、前記移動基板は前記第２の所定位置に位置することを特徴とする請求項５に記載の画像読取装置。
【請求項８】
前記第２読取手段としてＣＩＳを用いたことを特徴とする請求項１乃至７のいずれか１項に記載の画像読取装置。
【請求項９】
前記調整動作は、シェーディング補正を含むことを特徴とする請求項１乃至８のいずれか１項に記載の画像読取装置。
【請求項１０】
原稿を搬送する原稿搬送手段、前記原稿搬送手段によって搬送される原稿の第１面を読み取る第１読取手段、及び前記原稿の第２面を読み取る第２読取手段を有する画像読取装置の制御方法であって、
前記原稿の第１面のみを読み取る片面読取モード、または、前記原稿の第１面及び第２面を読み取る両面読取モードを設定する設定工程と、
前記設定工程において、前記両面読取モードが設定されたことに従って、前記第２読取手段の調整動作を開始する制御工程と、を有し、
前記制御工程において、前記設定工程で前記両面読取モードが設定された後、前記調整動作中に前記片面読取モードが設定されても、前記調整動作を継続することを特徴とする画像読取装置の制御方法。
【請求項１１】
原稿を搬送する原稿搬送手段、前記原稿搬送手段によって搬送される原稿の第１面を読み取る第１読取手段、前記原稿の第２面を読み取る第２読取手段、基準白板及び前記基準白板の移動手段を有する画像読取装置の制御方法であって、
前記原稿の第１面のみを読み取る片面読取モード、または、前記原稿の第１面及び第２面を読み取る両面読取モードを設定する設定工程と、
前記基準白板を移動する移動工程と、
前記設定工程において、前記両面読取モードが設定されたことに従って、前記原稿の読取開始指示より前に前記基準白板の移動を開始させ、前記第２読取手段の調整動作を開始する制御工程と、を有し、
前記制御工程において、前記調整動作中に前記片面読取モードが設定されても、前記調整動作を継続することを特徴とする画像読取装置の制御方法。
【請求項１２】
請求項１０または１１に記載の画像読取装置の制御方法をコンピュータに実行させるためのプログラム。
【発明の詳細な説明】
【技術分野】
【０００１】
本発明は、原稿の両面同時読み取りが可能な画像読取装置、その制御方法、及びプログラムに関する。
【背景技術】
【０００２】
近年、オフィス文書を効率的に電子化するニーズが高まっており、原稿読取装置（ＡＤＦ）内に表面用及び裏面用の２つの読取ユニットを備える両面同時読取方式が主流になってきている。このような原稿読取装置では、この２つの読取ユニットを原稿の各々の面を読取るように原稿搬送路上に設け、原稿の搬送方向を反転させることなく原稿の両面を読取ることで、両面原稿の読取時間を短縮させている。そして、両面同時読取方式のＡＤＦでは裏面の読取ユニットをＡＤＦの原稿搬送パス側に搭載するのが主流である。ここで、この裏面の読取ユニットは、少なくとも両面読取を行う場合に動作状態とすることが必要なユニットであり、片面読取の場合には、必ずしも通電する必要は無い。そこで、消費電力の削減あるいはユニットの長寿命化のために、ユーザにより両面読取の実行を指示されてから、裏面の読取ユニットの電源をオンにして起動するよう制御しているものがある。
【０００３】
また、一般に、読取りセンサの読取り特性は、駆動を開始してからの経過時間や温度上昇などの環境変化によって変化してしまう。そのため、読取を開始する前に、シェーディング補正を含む、主にオフセット調整、読取ゲインの調整、光量調整などからなる調整動作を行う。例えば、ユーザによるスタートキーの押下により両面読取ジョブの開始が指示されてから、表面と裏面の各読取ユニットの調整動作を行う。その際、より調整に時間がかかる面の読取ユニットから先に調整動作を開始することで、ジョブ開始指示から読取開始までの時間を短縮する方法が提案されている（特許文献１参照）。
【先行技術文献】
【特許文献】
【０００４】
【特許文献１】特開２００８−２２５２７号公報
【発明の概要】
【発明が解決しようとする課題】
【０００５】
しかしながら、ユーザからの両面読取ジョブの開始指示を受けて、それに応じて調整動作を開始するため、この調整動作に長い時間を要すると、読取処理の開始までの待ち時間が長くなる。その結果、読取が完了するまでの待ち時間も長くなるため、利便性が低下するということがあった。
そこで、本発明の目的は、両面読み取り開始指示を受けてから読み取り開始までの待ち時間を短縮することのでき、既に開始している裏面読み取りユニットの調整動作を途中で中止することによりユニットに負荷を与えてしまいユニットにダメージを与えることを防ぎ、ユニットの長寿命化を図ることができる画像読取装置を提供することである。
【課題を解決するための手段】
【０００６】
上記目的を達成するために、本発明の画像読取装置は、原稿を搬送する原稿搬送手段と、前記原稿搬送手段によって搬送される原稿の第１面を読み取る第１読取手段と、前記原稿搬送手段によって搬送される原稿の第２面を読み取る第２読取手段と、前記原稿の第１面のみを読み取る片面読取モード、または、前記原稿の第１面及び第２面を読み取る両面読取モードを設定する設定手段と、前記設定手段によって前記両面読取モードが設定されたことに従って、前記第２読取手段の調整動作を開始する制御手段と、を有し、前記制御手段は、前記設定手段によって前記両面読取モードが設定された後、前記調整動作中に前記片面読取モードが設定されても、前記調整動作を継続することを特徴とする。
また、本発明の画像読取装置は、原稿を搬送する原稿搬送手段と、前記原稿搬送手段によって搬送される原稿の第１の面を読み取る第１読取手段と、前記原稿搬送手段によって搬送される原稿の第２の面を読み取る第２読取手段と、前記原稿の第１面のみを読み取る片面読取モード、または、前記原稿の第１面及び第２面を読み取る両面読取モードを設定する設定手段と、前記第２読取手段の調整動作に用いる基準白板を面上に配置した移動基板と、前記移動基板を移動させる移動手段と、前記設定手段によって前記両面読取モードが設定されたことに従って、前記原稿の読取開始指示より前に前記移動手段によって前記移動基板の移動を開始させ、前記第２読取手段の調整動作を開始する制御手段と、を有し、前記制御手段は、前記調整動作中に前記片面読取モードが設定されても、前記調整動作を継続することを特徴とする。
【発明の効果】
【０００７】
本発明によれば、両面読み取り開始指示を受けてから読み取り開始までの待ち時間を短縮することができ、既に開始している裏面読み取りユニットの調整動作を途中で中止することによりユニットに負荷を与えてしまいユニットにダメージを与えることを防ぎ、ユニットの長寿命化を図ることができる。
【図面の簡単な説明】
【０００８】
【図１】本発明の画像読取装置の主要部の構成の一例を示す断面図である。
【図２】裏面読取ユニット及びその周辺の拡大図である。
【図３】画像読取装置の構成を説明するためのブロック図である。
【図４】コントローラ部の操作表示部における表示例を示す図である。
【図５】本発明の制御処理を説明するためのフローチャートである。
【図６】本発明の画像読取部で実行される制御処理を説明するためのフローチャートである。
【図７】本発明の裏面読取ユニットの初期化シーケンスを説明するためのフローチャートである。
【発明を実施するための形態】
【０００９】
以下、本発明の実施形態の一例を図面を参照して説明する。
＜画像読取装置＞
【００１０】
図１は、本実施形態に係る画像読取装置の主要部の構成を示す断面図である。この画像読取装置は、単独として構成されてもよいが、画像形成装置に接続、または画像形成装置の一部として構成されてもよい。従って、本画像読取装置は、印刷、複写、ＦＡＸ送受信等の各種機能を有する複合機の一部であってもよい。また、スキャナ、複写機、ファックス装置等の単機能装置の一部として構成されていても良い。
【００１１】
本実施形態の画像読取装置は、図１に示すように、画像読取部１００及びコントローラ部２００（図３）から構成されている。画像読取部１００は、下半部１１０と上半部１１１とからなる。
下半部１１０には主に、圧板ガラス５２、流し読みガラス５１、表面読取ユニット５９、表面用ＣＣＤラインセンサ５８等が備えられる。圧板ガラス５２と流し読みガラス５１との間には基準白板６０が設けられる。
上半部１１１には主に、原稿トレイ１、原稿トレイ１にセットされた原稿を搬送路Ｒに沿って原稿排紙トレイ２５まで搬送する自動原稿搬送部（以下、ＡＤＦ部と記す）１１２、および裏面読取ユニット１１５が備えられる。裏面読取ユニット１１５は、搬送路Ｒの途中に配置される。
【００１２】
画像読取部１００は、読取モードとして固定読みモードと流し読みモードとを有している。固定読みモードは、ユーザがＡＤＦ部１１２の原稿トレイ１に原稿を載置（セット）せずに、後述のスタートキー３０４（図４）を押した場合、圧板ガラス５２にセットされた原稿を表面用ＣＣＤラインセンサ５８で読み取るモードである。この場合、圧板ガラス５２に対向する原稿の下面が読み取られるので、ユーザは、読み取らせたい面を下側に向けて圧板ガラス５２上に載置する。
【００１３】
固定読みモードでは、光学モータ４０（図３）により表面読取ユニット５９が圧板ガラス５２に沿ってスライド移動させられる。そして、表面読取ユニット５９（ランプ５３とミラー５４）が移動し、ミラー５５，５６で反射され、レンズ５７を通過した光を受光することによって表面用ＣＣＤラインセンサ５８が原稿を読み取る（圧板読み取り）。この場合、ＡＤＦ部１１２及び裏面読取ユニット１１５は使用されない。
【００１４】
流し読みモードは、表面読取ユニット５９を固定し、原稿をＡＤＦ部１１２で搬送しながら読み取るモードであり、片面読取モードと両面読取モードとがある。片面読取モードでは、表面読取位置Ｐｆにて流し読みガラス５１を介して表面用ＣＣＤラインセンサ５８が搬送されている原稿の表面を読み取る（片面読み取り）。両面読取モードでは、表面用ＣＣＤラインセンサ５８での読み取りと並行して裏面読取ユニット１１５の裏面用ＣＣＤラインセンサ２０が搬送されている原稿の裏面を読み取る（両面読み取り）。
【００１５】
ＡＤＦ部１１２において、原稿トレイ１は、少なくとも１枚以上のシート原稿からなる原稿束が載置される昇降可能なトレイである。原稿トレイ１には、原稿検知センサ７、サイズ検知センサ８が備えられる。原稿束の最上面の原稿は、ピックアップローラ２により画像読取部１００の上半部１１１内に送り込まれる。
【００１６】
原稿の搬送開始前に、ピックアップローラ２が降下し、リフターモータ３０（図３）が駆動されて原稿トレイ１が上昇する。原稿束の最上面の原稿が給送位置に到達すると、原稿束の最上面に当接しているピックアップローラ２に連動して回転する紙面検知フラグ９が、紙面検知センサ１０を遮断する。そして、遮断された紙面検知センサ１０から紙面を検知したことを示すオン信号が出力され、このオン信号に基づき原稿トレイ１の上昇が停止される。そして、給送動作が開始される。ピックアップローラ２によって給送された原稿はフィードローラ４とリタードローラ５から構成される分離ローラ対３の作用によって１枚に分離される。この分離は周知のリタード分離技術によって実現されている。
【００１７】
分離された原稿は、引抜ローラ対６、搬送ローラ対１３により、分離後センサ１１、レジ前センサ１４を経て搬送され、レジストローラ対１５に突き当てられ、搬送されている原稿の斜行が解消される。
斜行が解消された後、原稿はレジストローラ対１５によってプラテン上流ローラ対１６、さらにはプラテンローラ１７へと送られる。このとき、プラテンローラ１７は、流し読みガラス５１に接触しており、プラテンローラ１７を通過する原稿の表面は流し読みガラス５１に押しつけられる。さらに、原稿の表面は表面読取ユニット５９の光源ランプ５３で照射される。そして、原稿の表面からの反射光は、ミラー５４、５５、５６、レンズ５７を経て表面用ＣＣＤラインセンサ５８に受光され、原稿の表面の画像を示す画像信号が生成される。
【００１８】
プラテンローラ１７により搬送された原稿は、プラテン下流ローラ対１８を通過し、裏面読取ローラ１９に送られる。裏面読取ローラ１９は移動可能な移動ガラス２２と接触しており、両面読取モードの場合には、移動ガラス２２と裏面読取ローラ１９との間を通過する原稿の裏面が光源ランプ２１で照射される。そして、原稿の裏面からの反射光は裏面用ＣＣＤラインセンサ２０に受光され、裏面の画像を示す画像信号が生成される。
裏面読取ローラ１９により搬送された原稿は、排紙センサ２３を経て排紙ローラ対２４によって原稿排紙トレイ２５に排出される。このほか、下半部１１０には表面読取ユニットの位置を検知する表面読取ユニットＨＰセンサ４２が設けられる。上半部１１１には移動ガラスの位置を検知する裏面読取ガラスＨＰセンサ４３が設けられる。
【００１９】
＜裏面読取ユニット＞
図２（ａ）、（ｂ）は、裏面読取ユニット１１５及びその周辺の拡大図である。
移動ガラス２２には、基準白板６１が貼り付けられている。移動ガラス２２は、ガラス移動モータ４１と、ガラス移動モータ４１によって移動ガラス２２を移動させる機構によって移動する。裏面読取ユニット１１５の裏面用ＣＣＤラインセンサ２０は、搬送路Ｒに沿って裏面読取位置Ｐｒを通過する原稿の裏面を裏面読取位置Ｐｒにおいて読み取る。
【００２０】
特に、図２（ａ）に示す移動ガラス２２の位置は、原稿の裏面の読み取りを行う前に、基準白板６１を用いた裏面用ＣＣＤラインセンサ２０の調整動作が実行される際の位置である。このとき基準白板６１はＣＣＤラインセンサ２０が基準白板６１の基準面を読み取ることができる位置に配置されている。このときの基準白板６１及び移動ガラス２２の位置を「第１の所定位置」と称する。図２（ｂ）に示す移動ガラス２２の位置は、両面読取モードにおいて裏面用ＣＣＤラインセンサ２０が原稿の裏面を読み取る際の所定の位置で、これを「第２の所定位置」と称する。このときには、基準白板６１はＣＣＤラインセンサ２０の読み取り位置からはずれた位置となっている。
【００２１】
移動ガラス２２を駆動する前準備として、裏面読取ガラスＨＰセンサ４３を用いて移動ガラス２２の位置決めが行われる。移動ガラス２２が第１の所定位置にあると、裏面用ＣＣＤラインセンサ２０の裏面読取位置Ｐｒに基準白板６１が位置する。後述する初期化シーケンスで各種調整を行う際には、移動ガラス２２が第１の所定位置に位置して、基準白板６１を裏面用ＣＣＤラインセンサ２０が読み取る。
【００２２】
移動ガラス２２が第２の所定位置にあるとき、移動ガラス２２は搬送路Ｒの一部となり、原稿の搬送が可能になる。移動ガラス２２が第２の所定位置にあると、移動ガラス２２を介して原稿の裏面の読み取りが可能となる。両面読取モードでは、搬送路Ｒを搬送される原稿の裏面の画像を、裏面読取位置Ｐｒにて裏面用ＣＣＤラインセンサ２０が読み取る。移動ガラス２２は搬送路Ｒの一部を構成するため、裏面用ＣＣＤラインセンサ２０を使用しない例えば片面読取モードの場合、または単なる原稿の搬送時にも、移動ガラス２２は第２の所定位置に位置させる必要がある。
以上の説明では、基準白板６１を移動ガラス２２に貼り付けて支持する例について説明したが、基準白板６１を支持する移動基板としては、移動ガラスに替えて透明アクリル板等の他の透明素材を用いて移動基板としても良いことはもちろんのことである。
【００２３】
＜画像読取装置のブロック図＞
図３は、画像読取装置の構成を説明するためのブロック図である。
画像読取部１００は、ＣＰＵ１２、ＲＯＭ８０、ＲＡＭ９０、光源ランプ２１、光源ランプ５３、画像処理部７０、画像メモリ７１のほか、各種センサ、各種モータを備える。各種モータには、前述したもののほか、リードモータ３１、分離モータ３７、搬送モータ３８、ピックアップモータ３９が含まれる。分離モータ３７は、分離ローラ対３による分離動作の駆動源となる。搬送モータ３８は、ＡＤＦ部１１２における搬送路Ｒに沿う原稿の搬送のための駆動源となる。
コントローラ部２００は、ＣＰＵ１０１、画像処理部１０２、画像メモリ１０３、操作表示部２１０を備える。
【００２４】
画像読取部１００の全体が、制御部としてのＣＰＵ１２によって制御される。コントローラ部２００の全体がＣＰＵ１０１によって制御される。画像読取部１００とコントローラ部２００とは電気的に接続され、ＣＰＵ１２とＣＰＵ１０１とはシリアル通信を介してコマンドを授受する。
画像読取部１００が原稿の表面を読み取る際、表面用ＣＣＤラインセンサ５８から、読取原稿の画像濃度に応じたアナログ電気信号が出力される。原稿の裏面を読み取る際は、裏面用ＣＣＤラインセンサ２０から、読取原稿の画像濃度に応じたアナログ電気信号が出力される。これらのアナログ電気信号は不図示のＡ／Ｄ変換回路を介してデジタル画像信号に変換され、画像処理部７０に入力され、入力された画像データは画像メモリ７１に一旦バッファされる。
【００２５】
コントローラ部２００からの指令により、バッファされた画像データは画像処理部７０を介してコントローラ部２００の画像処理部１０２に転送され、画像メモリ１０３に蓄積される。蓄積された画像データは、その後、複写機能やＦＡＸ送信機能等、各種機能に適宜に使用される。また、コントローラ部２００からの指令により、画像読取部１００の電源のオン、オフを制御することができる。
【００２６】
＜操作表示部＞
図４は、コントローラ部２００の操作表示部２１０における表示画面の表示例を示す図である。操作表示部２１０は、タッチパネルの機能を有した液晶表示部を備え、画面上には、両面読取モードボタン３０２等のソフトキーが作成可能となっている。操作表示部２１０の画面上において、ユーザは原稿の両面読取モード等の読取モード設定に関する指定を入力することができる。ここで、両面読取モードボタン３０２を押して、オンにすることにより両面読取モードとする。また、再度押すことにより、両面読取モードを解除して片面読取モードというように、片面読取モードあるいは両面読取モードのいずれかの読取モード設定を選択することが可能である。
【００２７】
操作表示部２１０の画面の近傍にはスタートキー３０４及びＬＥＤ３０３が配置される。操作表示部２１０のメッセージエリア３０１には、画像読取部１００の状態に応じたメッセージが表示される。また、画像読取部１００の状態によって、ＬＥＤ３０３の点灯・消灯が切り替わる。ＬＥＤ３０３は、点灯／消灯されることにより、スタートキー３０４が使用可能／使用不可であることを知らせる。
【００２８】
＜コントローラ部２００の制御＞
図５は、コントローラ部２００で実行される制御処理を説明するフローチャートである。
この処理は、ユーザが、画像読取装置の電源スイッチ（図示せず）をＯＮした時に開始される。図５に示される各ステップの処理は、コントローラ部２００によって実行されるものである。更に詳しくは、例えば、コントローラ部２００のＣＰＵ１０１が、不図示のＲＯＭに格納された制御プログラムを、不図示のＲＡＭにロードして実行することにより実現される。
【００２９】
まず、コントローラ部２００のＣＰＵ１０１は、電源が投入されると、Ｓ５０１で両面読取モードボタン３０２が押されることよって両面モードが設定されたか否かを判断する（Ｓ５０１）。ＣＰＵ１０１は、両面モードが設定されたと判断した場合（Ｓ５０１でＹ）、Ｓ５０２に移行し原稿読取のモードの予告として、ＣＰＵ１２に両面モード予告を通知して、Ｓ５０３に移行する。一方、ＣＰＵ１０１は、両面モードが設定されなかったと判断した場合（Ｓ５０１でＮ）は、そのままＳ５０３に移行する。
【００３０】
次に、ＣＰＵ１０１は、Ｓ５０３でスタートキー３０４が押されたか否かを判断する（Ｓ５０３）。ＣＰＵ１０１は、スタートキー３０４が押されたと判断した場合（Ｓ５０３でＹ）、ＣＰＵ１２に読取ジョブを投入する（Ｓ５０４）。そして、ステップＳ５０１へ戻り、処理を繰り返す。一方、ＣＰＵ１０１は、スタートキー３０４が一定時間押されなかった場合は（Ｓ５０３でＮ）、Ｓ５０１に戻り待機する。
【００３１】
＜画像読取部１００の制御＞
図６は、画像読取部１００で実行される制御処理を説明するフローチャートである。
この処理は、ユーザが、画像読取装置の電源スイッチ（図示せず）をＯＮすると、コントローラ部２００によって画像読取部１００が通電され、本処理が開始される。図６に示される各ステップの処理は、画像読取部１００によって実行されるものである。更に詳しくは、例えば、画像読取部１００のＣＰＵ１２が、ＲＯＭ８０に格納された制御プログラムを、ＲＡＭ９０にロードして実行することにより実現される。
【００３２】
まず、Ｓ６０１で、ＣＰＵ１２は、電源が投入された後、ＲＡＭ９０上の初期化開始フラグをクリアし、０にする。この初期化開始フラグは、裏面読取ユニット１１５の初期化シーケンスを開始したかどうかを示すフラグである。
【００３３】
次に、ＣＰＵ１２は、Ｓ６０２で、初期化開始フラグが１かどうかを判断する。ここで、ＣＰＵ１２が初期化開始フラグが１でないと判断した場合、Ｓ６０３に移行し、ＣＰＵ１２は、コントローラ部２００のＣＰＵ１０１から両面モード予告通知を受信したかどうかを判断する（Ｓ６０３）。この両面モード予告通知は、図５のステップＳ５０２で通知されるものである。Ｓ６０３で、ＣＰＵ１２が両面モード予告通知を受信したと判断した場合、Ｓ６０４に進み、ＣＰＵ１２は初期化開始フラグに１をセットする（Ｓ６０４）。そして、Ｓ６０５に移行し、ＣＰＵ１２は、図７で後述する裏面読取ユニット１１５の初期化シーケンスを開始し、図６の制御と並行して図７の初期化シーケンスの処理を実行する（Ｓ６０５）。
【００３４】
次に、ＣＰＵ１２は、Ｓ６０６で、コントローラ部２００からの読取ジョブが投入されたかを判断する（Ｓ６０６）。ここで、ＣＰＵ１２が、Ｓ６０２で、初期化開始フラグが１であると判断した場合、およびＳ６０３で、両面モード予告通知を受信していないと判断した場合にも、Ｓ６０６に移行し、読取ジョブが投入されたかを判断する。
この読取ジョブは、図５のステップＳ５０４で投入されるものである。Ｓ６０６で、ＣＰＵ１２が読取ジョブが投入されたと判断したら（Ｓ６０６でＹ）、Ｓ６０７で、ＣＰＵ１２は、投入されたジョブが両面読取ジョブか否かを判断する。Ｓ６０７で、ＣＰＵ１２が投入されたジョブが両面読取ジョブであると判断した場合（Ｓ６０７でＹ）、Ｓ６０８で、初期化開始フラグが１かどうかを判断する。Ｓ６０８で、ＣＰＵ１２が初期化開始フラグが１でないと判断した場合（Ｓ６０８でＮ）、Ｓ６０９に移行し、ＣＰＵ１２は裏面ユニットの初期化シーケンスを開始する（Ｓ６０９）。この処理は、ステップＳ６０５と同じ処理である。
【００３５】
そして、ＣＰＵ１２は、Ｓ６１０で、裏面読取ユニット初期化シーケンスが完了しているか否かを判別する（Ｓ６１０）。Ｓ６０８で、ＣＰＵ１２が初期化開始フラグが１であると判断した場合（Ｓ６０８でＹ）には、そのままＳ６１０に進み、裏面読取ユニット初期化シーケンスが完了しているか否かを判別する。
その結果、ＣＰＵ１２が裏面読取ユニット初期化シーケンスが完了していないと判別した場合（Ｓ６１０でＮ）、裏面読取ユニット初期化シーケンスが完了するまで待つ。一方、裏面読取ユニット初期化シーケンスが完了している場合（Ｓ６１０でＹ）、ＣＰＵ１２は、投入された読取ジョブの実行へ移行する（Ｓ６１１）。
一方、Ｓ６０７で、投入されたジョブが両面読取ジョブではないと判断された場合（Ｓ６０７でＮ）には、ＣＰＵ１２は、Ｓ６１１に移行して、直ちに読み取りジョブを実行させる。読み取りジョブを実行することによって、ＣＰＵ１２は、原稿トレイ１にセットされた原稿を１枚ずつ搬送し、表面用ＣＣＤラインセンサ５８と裏面用ＣＣＤラインセンサ２０による原稿の読み取りを行う。そして、ＣＰＵ１２は、この動作を、原稿トレイ１にセットされた原稿がなくなるまで繰り返す。そして、ＣＰＵ１２は、Ｓ６１２で読取ジョブの原稿読取動作が終了したら（Ｓ６１２）、ステップＳ６０１へ戻る。
【００３６】
また、ＣＰＵ１２はステップＳ６０６で読取ジョブが投入されていない（Ｓ６０６でＮ）と判断したら、Ｓ６１３に移行し、裏面ユニットの初期化シーケンス開始から所定時間（本実施例では１分）以上経過したかを判断する（Ｓ６１３）。これは、両面モード予告通知によりステップＳ６０５で初期化シーケンスを開始はしたが、コントローラ部２００から読取ジョブが投入されない状態が、所定時間以上経過したかどうか、を判断するためである。読取ジョブが投入されないで原稿読取開始の指示がされない状態が所定時間以上経過した場合（Ｓ６１３でＹ）はステップＳ６０１に戻り、初期調整動作の結果をリセットする。所定時間以上経過していない場合（Ｓ６１３でＮ）はステップＳ６０２に戻る。
【００３７】
＜裏面読取ユニットの初期化シーケンス＞
図７は、裏面読取ユニット１１５の初期化シーケンスを説明するフローチャートである。
この初期化シーケンスでは、裏面読み取り時の画像読取条件の調整を行う。これは裏面読み取り準備を行う初期調整動作であって、シェーディング補正を含むものであり、主にオフセット調整、読取ゲインの調整、光量調整等からなる。この初期調整動作としては、必要に応じて１種類だけ行っても良いし、複数種類を合わせて行っても良い。
ここでは、裏面用の読み取りセンサの一例としてＣＣＤラインセンサを用いた場合について説明する。
【００３８】
この初期化シーケンスは、ＣＰＵ１２が図６のステップＳ６０５またはＳ６０９において開始する。そして、ＣＰＵ１２は図６の制御と並行して、この初期化シーケンスの処理を実行するよう制御する。
【００３９】
まずＣＰＵ１２は、ガラス移動モータ４１（図３）を駆動して移動ガラス２２をスライド移動させ、裏面読取ガラスＨＰセンサ４３（図１）の変化タイミングで位置出しを行う（Ｓ７０１）。ＣＰＵ１２は、そのタイミングから、所定距離分の駆動を継続し、移動ガラス２２を移動させ、裏面用ＣＣＤラインセンサ２０に基準白板６１が対向するように（裏面読取位置Ｐｒに位置するように）移動ガラス２２を停止させる（図２(ａ)）（Ｓ７０２）。
【００４０】
次にＣＰＵ１２は、裏面用ＣＣＤラインセンサ２０を駆動し（Ｓ７０３）、Ｓ７０４で、光源ランプ２１を消灯した状態で裏面用ＣＣＤラインセンサ２０が出力する濃度のうち、最も暗い値を読み取るオフセット調整を行う（Ｓ７０４）。
【００４１】
次に、ＣＰＵ１２は、Ｓ７０５で、光源ランプ２１を点灯し、光源ランプ２１の発光量を徐々に上げながら、裏面用ＣＣＤラインセンサ２０が出力する濃度のうち、最も明るい値が所定値に到達する発光量を探索する。そしてＣＰＵ１２は、裏面用ＣＣＤラインセンサ２０の読取ゲインを調整する（Ｓ７０５）。さらにＣＰＵ１２は、Ｓ７０６で、光量調整時の値を用いて、最も明るい値が所定値に到達するゲイン値を探索して光量調整を行う（Ｓ７０６）。
【００４２】
そして、ＣＰＵ１２は、ガラス移動モータ４１（図３）を駆動して移動ガラス２２をスライド移動させ、裏面用ＣＣＤラインセンサ２０が原稿の裏面を読み取る際の位置に移動ガラス２２を停止させる（図２（ｂ））（Ｓ７０７）。
裏面読取ユニット復帰シーケンスは以上で完了である。
【００４３】
このように、表面用及び裏面用の２つの読取ユニットを備える両面同時読取方式の画像読取装置において、特に、裏面用の読取ユニットの初期調整には、基準白板が配置された移動基板の移動を伴うためにより多くの時間を要することとなる。本発明では、ユーザが両面設定操作を行った時点で裏面読取ユニットの初期化を開始しておく。そのため、その後、ユーザがスタートキーを押して両面読取ジョブを投入してから実際の読取開始までの待ち時間を短縮することができる。
【００４４】
また、ユーザが両面設定操作を行った後、所定時間以上スタートキーが押されなかった場合には、先に初期化シーケンスで行った裏面読み取り時の画像読取条件の調整値などを利用しない。すなわち、次に読取実行する際にはあらためて初期化を行うように動作する。そのため、時間が経過し過ぎて実際の読取実行時の実情と合わなくなった調整値などが、読取実行に利用されることが回避される。
【００４５】
なお、図６のＳ６０５又はＳ６０９において裏面読み取りユニットの初期化シーケンス（図７）が開始された後に、両面読取モードボタン３０２が再度押されることがある。言い換えると、原稿読取モードを片面読取モードに設定する入力操作がなされる場合である。すなわち、両面モードから片面モードに設定が戻された場合、既に開始された裏面読み取りユニットの初期化シーケンス（図７）をそのまま継続する（中止しない）ように構成するものとする。例えば、裏面読み取りユニットの初期化シーケンスが開始された後に、両面モードから片面モードに設定が戻された場合でも、コントローラ部２００のＣＰＵ１０１は、そのことを画像読取部１００のＣＰＵ１２へは通知しない。または、裏面読み取りユニットの初期化シーケンスが開始された後に、両面モードから片面モードに設定が戻された旨の通知があった場合でも、画像読取部１００のＣＰＵ１２は、既に開始している裏面読み取りユニットの初期化シーケンスを継続して実行する。
この構成により、既に開始している裏面読み取りユニットの初期化シーケンスを途中で中止することによりユニットに負荷を与えてしまいユニットにダメージを与えることを防ぎ、ユニットの長寿命化を図ることができる。
【００４６】
以上、本発明の読取センサとしてＣＣＤラインセンサを例として用いて説明した。しかしながら、本発明はこれに限られず、表面読取センサまたは裏面読取センサの一方または両方としてＣＩＳ（Ｃｏｎｔａｃｔ  Ｉｍａｇｅ  Ｓｅｎｓｏｒ）等の他のセンサを用いることができることはもちろんのことである。なお、特許文献１にも示されるように、ＣＩＳは、その構造上ＣＣＤセンサと比較して初期設定作業により多くの時間がかかることが想定されるため、裏面読取センサとしてＣＩＳを用いた場合に本発明を適用した場合には、より一層の効果が期待される。
以上、本発明をその好適な実施形態に基づいて詳述してきたが、本発明はこれら特定の実施形態に限られるものではなく、この発明の要旨を逸脱しない範囲の様々な形態も本発明に含まれる。
【００４７】
（その他の実施例）
上述した実施形態では、移動ガラス２２を移動させる例を説明した。しかしながら、本発明はこれに限られない。例えば、裏面読取ユニット１１５を移動させてもよい。裏面読取ユニット１１５を移動させる場合、ガラスの位置は、常に図２（ｂ）の位置に固定される。そして、コントローラ部の電源が入れられた後、ＣＰＵ１２は、両面モードが設定されるまで、裏面読取ユニット１１５は、基準白板６１を読み取り可能な位置で待機させる。つまり、裏面用ＣＣＤラインセンサ２０に基準白板６１が対向するように裏面読取ユニット１１５を待機させる。そして、ユーザによって両面モードが選択されたら、ＣＰＵ１２は、図７に示すＳ７０３〜Ｓ７０６の処理を実行した後、裏面読取ユニット１１５を図２（ｂ）の位置に移動させる。つまり、裏面読取ユニット１１５を、原稿を読み取り可能な位置に移動させる。その後、ユーザによってスタートキーが押されたら、ＣＰＵ１２は、ＣＰＵ１０１からの指示で読み取りジョブを開始する。読み取りジョブを実行することによって、ＣＰＵ１２は、原稿トレイ１にセットされた原稿を１枚ずつ搬送し、表面用ＣＣＤラインセンサ５８と裏面用ＣＣＤラインセンサ２０による原稿の読み取りを行う。そして、ＣＰＵ１２は、この動作を、原稿トレイ１にセットされた原稿がなくなるまで繰り返す。なお、ここに説明した処理以外の処理は、上述した実施形態で説明した処理を行えばよい。
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４８】
１００    画像読取部
１１５    裏面読取ユニット
２００    コントローラ部
【図１】
0006611513.tif 000002
【図２】
0006611513.tif 000003
【図３】
0006611513.tif 000004
【図４】
0006611513.tif 000005
【図５】
0006611513.tif 000006
【図６】
0006611513.tif 000007
【図７】
0006611513.tif 000008